(57)【特許請求の範囲】
【請求項１】
排水管に接続され内部に排水通路を有する金具本体と、この金具本体の上部に設けられ前記排水通路に連通する排水口と、この排水口を開閉する栓体と、前記排水通路に設けられ排水速度を下げる緩衝材とを備えた排水金具において、
前記金具本体は円筒形をなし、この金具本体の上部に前記排水口を開設し、この排水口には、下部に向かって縮小するテーパー管部を設け、このテーパー管部の下端に径小管部を接続し、前記径小管部の下端に内鍔部を周設し、
前記テーパー管部及び前記径小管部の外周面と、前記金具本体の内周面との間の空間により空気溜り部を構成し、
前記金具本体には、その下端開口から、前記径小管部，前記テーパー管部及び前記排水口に連続する前記排水通路が形成され、
前記栓体は、前記テーパー管部に嵌挿する外栓と、この外栓の中央孔を開閉する内栓とを備え、前記外栓は、上面部と、この上面部の外周縁より下方に向って形成された外テーパー管部と、前記上面部の内周縁より下方に向って形成され前記中央孔を構成する内テーパー管部とを一体に備え、前記外テーパー管部及び前記内テーパー管部は、下部に向かって縮小し、前記外テーパー管部が前記テーパー管部内に嵌挿され、
前記内テーパー管部内の前記中央孔には、前記内栓が嵌挿され、前記内栓の下部には抜け止め杆が連結され、この抜け止め杆は、下部に抜け止め頭部を備え、前記内テーパー管部の下部開口を挿通した杆本体の上端が前記内栓に固定され、前記抜け止め頭部が前記内テーパー管部の下部開口に係止し、
前記緩衝材は、有底筒型の受け皿であり、筒状部と、底面部と、前記内鍔部の上面に係止する外鍔部とを一体に備え、前記筒状部と前記底面部とに複数の孔を設け、前記受け皿の前記筒状部及び前記底面部は、前記排水口及び前記内鍔部を通過可能であって、前記受け皿は、前記外鍔部が前記内鍔部に係止して吊設され、前記受け皿は前記金具本体の外に取外し可能であり、
前記金具本体の軸心に対するテーパー管部及び前記内，外テーパー管部の角度θが４５度以上であることを特徴とする排水金具。
【発明の詳細な説明】
【技術分野】
【０００１】
本発明は、浴室などに設ける排水金具に関する。
【背景技術】
【０００２】
従来、この種のものとして、排水配管に接続され内部に排水通路を有する金具本体と、この金具本体の上部に設けられた前記排水通路に連通する排水口と、この排水口を開閉する栓体とを備えた排水金具がある。
【０００３】
例えば、浴槽栓に浴槽栓を吊り下げる鎖と該鎖の取付け金具を収納する凹所を設けてあり、そしてこの凹所は、浴槽栓の中央に設けた鎖取付け金具収容用の凹みと該凹みから外周縁までにかけて穿設する鎖収容用の凹溝とから成る浴槽栓であって、浴槽栓の上部をなだらかな山形状に形成したもの（例えば特許文献１）がある。
【特許文献１】特開２００３−１６９７５８号公報
【発明の開示】
【発明が解決しようとする課題】
【０００４】
上記排水金具及び排水栓では、いずれも浴槽などに用いた場合、栓を開けて排水すると、浴槽内の水の圧力が排水管内に急激に加わり、排水の流速が早くなるため、排水音が大きくなり、騒音を発生する。
【０００５】
また、開閉により、管内の圧力が急激に変化するため、同一系統の排水管の内圧が変動し、他の排水金具内の封水トラップに悪影響を及ぼすという問題がある。
【０００６】
さらに、いずれもストレートに排水される構造になっているため、浴槽内の固形物なども排水管に流れてしまう。
【０００７】
そこで、本発明は、排水音が静かで、他の排水金具に悪影響を及ぼすことのない排水金具を提供することを目的とし、加えて、固形物の流出を防止することができる排水金具を提供することを目的とする。
【課題を解決するための手段】
【０００８】
請求項１の発明は、排水管に接続され内部に排水通路を有する金具本体と、この金具本体の上部に設けられ前記排水通路に連通する排水口と、この排水口を開閉する栓体と、前記排水通路に設けられ排水速度を下げる緩衝材とを備えた排水金具において、前記金具本体は円筒形をなし、この金具本体の上部に前記排水口を開設し、この排水口には、下部に向かって縮小するテーパー管部を設け、このテーパー管部の下端に径小管部を接続し、前記径小管部の下端に内鍔部を周設し、前記テーパー管部及び前記径小管部の外周面と、前記金具本体の内周面との間の空間により空気溜り部を構成し、前記金具本体には、その下端開口から、前記径小管部，前記テーパー管部及び前記排水口に連続する前記排水通路が形成され、前記栓体は、前記テーパー管部に嵌挿する外栓と、この外栓の中央孔を開閉する内栓とを備え、前記外栓は、上面部と、この上面部の外周縁より下方に向って形成された外テーパー管部と、前記上面部の内周縁より下方に向って形成され前記中央孔を構成する内テーパー管部とを一体に備え、前記外テーパー管部及び前記内テーパー管部は、下部に向かって縮小し、前記外テーパー管部が前記テーパー管部内に嵌挿され、前記内テーパー管部内の前記中央孔には、前記内栓が嵌挿され、前記内栓の下部には抜け止め杆が連結され、この抜け止め杆は、下部に抜け止め頭部を備え、前記内テーパー管部の下部開口を挿通した杆本体の上端が前記内栓に固定され、前記抜け止め頭部が前記内テーパー管部の下部開口に係止し、前記緩衝材は、有底筒型の受け皿であり、筒状部と、底面部と、前記内鍔部の上面に係止する外鍔部とを一体に備え、前記筒状部と前記底面部とに複数の孔を設け、前記受け皿の前記筒状部及び前記底面部は、前記排水口及び前記内鍔部を通過可能であって、前記受け皿は、前記外鍔部が前記内鍔部に係止して吊設され、前記受け皿は前記金具本体の外に取外し可能であり、前記金具本体の軸心に対するテーパー管部及び前記内，外テーパー管部の角度θが４５度以上であるものである。
【発明の効果】
【０００９】
請求項１の構成によれば、排水速度を下げ、通気性を確保し、排水騒音を下げることができる。また、開閉時において、管内の圧力が急激に変化を防止でき、同一系統の排水管の内圧が変動による悪影響を抑制できる。
【００１０】
また、請求項１の構成によれば、排水中の髪の毛、落し物やごみなどを捕捉し、排水系統に流れることを防止できる。
【発明を実施するための最良の形態】
【００１１】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる排水金具を採用することにより、従来にない排水金具が得られ、その排水金具を夫々記述する。
【実施例１】
【００１２】
以下、本発明の排水金具の実施例１について図１を参照して説明する。同図に示すように、排水金具１は、円筒形の金具本体２を備え、この金具本体２の上部には排水口３を開設し、この排水口３には、下部に向かって縮小するテーパー管部４を設け、このテーパー管部４の下端に径小管部５を接続し、前記テーパー管部４の下端と径小管部５の下端にそれぞれ内鍔部６，７を周設している。
【００１３】
そして、前記テーパー管部４及び径小管部５の外周面と、前記金具本体２の内周面との間の空間により空気溜り部８を構成している。また、前記金具本体２には、その下端開口から、径小管部５，テーパー管部４及び排水口３に連続する排水通路９が形成されている。尚、前記金具本体２の上端には、外鍔部１０が周設されている。
【００１４】
前記排水口３を開閉する栓体１１を備え、この栓体１１は、前記テーパー管部４に嵌挿する外栓１２と、この外栓１２の中央孔１３を開閉する内栓１４とを備える。前記外栓１２は、上面部１２Ａと、上面部１２Ａの外周縁より下方に向って形成された外テーパー管部１２Ｂと、上面部１２Ａの内周縁より下方に向って形成され前記中央孔１３を構成する内テーパー管部１２Ｃとを一体に備える。そして、前記外テーパー管部１２Ｂ及び内テーパー管部１２Ｃは、下部に向かって縮小し、外テーパー管部１２Ｂが前記テーパー管部４内に嵌挿される。
【００１５】
前記内栓１４は、略裁頭円錐型をなし、前記内テーパー管部１２Ｃ内の中央孔１３には、前記内栓１４が嵌挿され、この嵌挿状態で、内栓１４の上面と、上面部１２Ａの上面と、外鍔部１０の上面とが略面一となる。また、前記内栓１４の下部には、ボルトなどからなる抜け止め杆１５が連結され、この抜け止め杆１５は、下部に抜け止め頭部１５Ａを備え、前記内テーパー管部１２Ｃの下部開口を挿通した杆本体１５Ｂの上端が前記内栓１４に固定されている。尚、抜け止め杆１５がボルトの場合は、ねじ付きの前記杆本体１５Ｂを前記内栓１４に螺合すれば固定できる。そして、抜け止め頭部１５Ａが前記内テーパー管部１２Ｃの下部開口に係止するようになっている。
【００１６】
また、前記内栓１４の上部には、掛け部１６が設けられ、この掛け部１６には環体１７が揺動可能に連結されている。そして、必要に応じて、前記環体１７にチェーンなどの紐状体１８を連結して、栓体１１の開閉操作を行うことができるようになっている。
【００１７】
前記内鍔部７の下部には、排水速度を下げる緩衝材を設けている。この緩衝材は、有底筒型の受け皿２１であり、筒状部２１Ａと、底面部２１Ｂと、前記内鍔部７の上面に係止する外鍔部２１Ｃとを一体に備え、ステンレスなどから形成され、その筒状部２１Ａと底面部２１Ｂとに複数の孔２２を設け、孔２２を設けた部分がメッシュとなる。この受け皿２１の筒状部２１Ａ及び底面部２１Ｂは、前記排水口３、内鍔部６，７を通過可能であって、外鍔部２１Ｃが内鍔部７に係止して吊設され、また、逆の取り出すことができるから、必要に応じて、取外し可能に構成されている。
【００１８】
前記金具本体２の下部内周には、連結受部たる雌螺子部２Ａが形成され、排水管３１の上端の連結部たる雄螺子部３１Ａに前記雌螺子部２Ａが螺合されて、排水管３１の上部に、排水金具１が連結される。
【００１９】
次に、前記構成につき、その作用を説明する。前記排水金具１は、浴槽（図示せず）などの底面に設けられて使用される。そして、使用者が環体１７に連結した紐状体１８を引張ると、内栓１４が持ち上がって中央孔１３が開き、抜け止め頭部１５Ａが内テーパー管部１２Ｃの下端に係止して外栓１２が外れるため、栓体１１が無理なく外れ、排水口３が開く。浴槽から流れ落ちる排水は、受け皿２１を通過することにより、流速が下がり、且つ孔２２を通ることにより分流されて、排水騒音が低減される。そして、流速が下がることにより、同一系統の排水管の内圧の大きな変動が抑制され、他の排水金具内の封水トラップに悪影響を及ぼすこともない。また、受け皿２１により、髪の毛、落し物やごみなどを補足することができる。この場合、受け皿２１を外して、落し物を回収したり、ごみなどを捨てて掃除をすることができる。さらに、孔２２により排水管３１と外部との通気性を確保することができる。
【００２０】
このように本実施例では、請求項１に対応して、排水管３１に接続され内部に排水通路９を有する金具本体２と、この金具本体２の上部に設けられた排水通路９に連通する排水口３と、この排水口３を開閉する栓体１１と、排水通路９に設けられ排水速度を下げる緩衝材とを備えた排水金具において、金具本体２は円筒形をなし、この金具本体２の上部に排水口３を開設し、この排水口３には、下部に向かって縮小するテーパー管部４を設け、このテーパー管部４の下端に径小管部５を接続し、径小管部５の下端に内鍔部７を周設し、テーパー管部４及び径小管部５の外周面と、金具本体２の内周面との間の空間により空気溜り部８を構成し、金具本体２には、その下端開口から、径小管部５，テーパー管部４及び排水口３に連続する排水通路９が形成され、栓体１１は、テーパー管部４に嵌挿する外栓１２と、この外栓１２の中央孔１３を開閉する内栓１４とを備え、外栓１２は、上面部１２Ａと、この上面部１２Ａの外周縁より下方に向って形成された外テーパー管部１２Ｂと、上面部１２Ａの内周縁より下方に向って形成され中央孔１３を構成する内テーパー管部１２Ｃとを一体に備え、外テーパー管部１２Ｂ及び内テーパー管部１２Ｃは、下部に向かって縮小し、外テーパー管部１２Ｂがテーパー管部４内に嵌挿され、内テーパー管部１２Ｃ内の中央孔１３には、内栓１４が嵌挿され、内栓１４の下部には抜け止め杆１５が連結され、この抜け止め杆１５は、下部に抜け止め頭部１５Ａを備え、内テーパー管部１２Ｃの下部開口を挿通した杆本体１５Ｂの上端が内栓１４に固定され、抜け止め頭部１５Ａが内テーパー管部１２Ｃの下部開口に係止し、緩衝材は、有底筒型の受け皿２１であり、筒状部２１Ａと、底面部２１Ｂと、内鍔部７の上面に係止する外鍔部２１Ｃとを一体に備え、筒状部２１Ａと底面部２１Ｂとに複数の孔２２を設け、受け皿２１の筒状部２１Ａ及び底面部２１Ｂは、排水口３及び内鍔部７を通過可能であって、受け皿２１は、外鍔部２１Ｃが内鍔部７に係止して吊設され、受け皿２１は金具本体２の外に取外し可能であり、金具本体２の軸心に対するテーパー管部４及び内，外テーパー管部１２Ｃ，１２Ｂの角度θが４５度以上であるから、排水速度を下げ、通気性を確保し、排水騒音を下げることができる。また、開閉時において、管内の圧力が急激に変化を防止でき、同一系統の排水管の内圧が変動による悪影響を抑制できる。
【００２１】
また、このように本実施例では、請求項１に対応して、緩衝材たる受け皿２１がメッシュである筒状部２１Ａと底面部２１Ｂを備えるから、排水中の髪の毛、落し物やごみなどを捕捉し、排水系統に流れることを防止できる。
【００２２】
また、緩衝材を設けることにより、排水の流速を抑えて、しかも、水が流れる孔２２以外の遮蔽部分により、空気層ができるため、管内圧力変動を低減させることができる。また、受け皿２１により、排水の中の固形物の流失を防ぐことができる。さらに、従来の共栓サイズでは、緩衝材の抵抗により、流量が減るので、外栓１２の直径を内栓１４の直径の約１．５倍以上とすることにより、流量を確保することができる。尚、これらの直径は、上面における直径を言う。また、ステンレス板材からなる受け皿２１は取外し可能であるから、外に取り出して補足した固形物を除去することもできる。また、金具本体２の軸心に対するテーパー管部４及び内，外テーパー管部１２Ｃ，１２Ｂの角度θが４５度以上であるから、排水を絞って流量を抑制することができる。
【００２３】
以上、本発明の実施例について詳述したが、本発明は、前記実施例に限定されるものではなく、本発明の要旨の範囲内で種々の変形実施が可能である。例えば、実施例では、緩衝材として、孔を穿設したメッシュの受け皿を示した。また、内栓は、中央孔に嵌る部分をゴムなどの弾性体により構成してもよい。
【図面の簡単な説明】
【００２４】
【図１】本発明の実施例１を示す断面図である。
【符号の説明】
【００２５】
１  排水金具
２  金具本体
３  排水口
４  テーパー管部
５  径小管部
７  内鍔部
９  排水通路
１１  栓体
１２  外栓
１２Ａ  上面部
１２Ｂ  外テーパー管部
１２Ｃ  内テーパー管部
１３  中央孔
１４  内栓
１５  抜け止め杆
１５Ａ  抜け止め頭部
１５Ｂ  杆本体
２１  受け皿（緩衝材）
２１Ａ  筒状部（メッシュ）
２１Ｂ  底面部（メッシュ）
２１Ｃ  外鍔部
θ  角度
【図１】
0004958074.tif 000002